(57)【要約】      （修正有）【課題】タオルの長さ、枚数、噴射水の温度などを使用者が任意調節し得るウェットタオル自動製造装置を提供する。【解決手段】ハウジング５の内部に回転可能に装着される巻物形態のタオル反物３を使用者の所望長さに引き出す引出手段７と、前記引出手段と個別的に動作する切断手段９と、切断されたタオルの全面に水を噴射する給水手段２１と、水で濡れたタオルを巻物形態に巻回して積載部６に供給するタオル水切り手段１７と、前記引出手段と前記切断手段とそれぞれ設けられる回転計を有する制御手段とからなる。【選択図】図１
0003234446.tif 000002
【実用新案登録請求の範囲】
【請求項１】
固定位置で回転し、巻物形態のタオル反物を巻物可能に固定するタオル反物固定部を有し、前方下部に、切断されてから巻回された濡れタオルが外部に分配される前に積載される積載部を有するハウジングと、前期ハウジングの内部前方に、容易に着脱できるように、ネジ結合で装着されるケースと、前期ケースの内部に設けられ、前期タオル反物を圧着して引き出すため、第１電動機と、前記第１電動機とギアで連動して回転する第１軸と、ベルトにより前記第１軸に連動する第２軸と、前記ベルトの上面を圧着した状態で回転するもので、前記ケースに固定されるカバーの下面から突出して回転可能に固定されるローラーとを含む引出手段と、前記ケースの内部に設けられ、前記引出手段により引き出されるタオル反物を所定長さに切断するため、第２電動機と、前記第２電動機により回転する回転カッターと、前記回転カッターと交又する位置に固定される固定カッターとを含む切断手段と、前記ハウジング内に設けられ、前記切断手段により切断されたタオルに水を噴射して前記積載部に積載するため、貯水部、ポンプ、浄水部及びノズル部を含む吸水手段と、前記タオルの分配可否と前記分配されるタオルの切断長さを調節するため、前記ハウジングの外面に設けられる操作部と、前記引出手段により引き出される前記タオル反物の長さを感知する第１感知手段と、前記切断手段の前記回転カッターの回転数を感知する第２感知手段と、前記操作部から伝送される信号及び前記第１、２感知手段から伝送される信号を演算して、前記第１、２電動機及び前記ポンプの電源を個別に断続するマイコンとを有する制御手段とを含むことを特徴とするウェットタオル自動製造装置。
【請求項２】
前記引出手段の前記ベルトは、前記第１、２軸の長手方向に一定間隔で提供される多数のリングであり、前記引出手段は、前記ケースの上面に位置して固定される熊手形状の板材で、前記ベルトの上面より少し低い位置に固定され、前記タオル反物が広げられた状態で引き出されるようにするガイド版を更に含むことを特徴とする請求項１記載のウェットタオル自動製造装置。
【請求項３】
前記カバーの下部に固定される前記ローラーは上下方に弾性的に遊動可能であるので、厚さの相違したタオル反物の使用ができることを特徴とする請求項１記載のウェットタオル自動製造装置。
【請求項４】
前記第１、２感知手段は回転計であることを特徴とする請求項１記載のウェットタオル自動製造装置。
【請求項５】
前記制御手段の前記操作部は、ウェットタオルの切断長さを調節する選択ボタンと、タオルの枚数を選択する枚数選択ボタンとを含むことを特徴とする請求項１記載のウェットタオル自動製造装置。
【請求項６】
前記給水手段は水の温度を調節し得る加熱及び冷却手段を更に含むことを特徴とする請求項１記載のウェットタオル自動製造装置。
【請求項７】
前記ケースの下部に設けられ、前記切断手段と給水手段を通過したウェットタオルを巻回して前記積載部に投与するため、前記ハウジング内に設けられる第３電動機と、所定のフレームにより平行に離隔されて固定される両側板と、前記両側板の前方に回転可能に装着される第３軸と、前記第３電動機とギアで連結され、前記両側板の後方に回転可能に連結される第４軸と、前記第３軸及び前記第４軸がコンベヤーの両軸として連動されるようにし、前方上面に載せられるウェットタオルを後方に移送するゴム板材と、前記板材の上面から上方に少し離隔される位置で、回転可能に前記両側板に装着され、前記第４軸とベルトで連結されることにより回転力を受ける第５軸と、前記ゴム板材の上面から上方に少し離隔される位置で、回転可能に前記両側板に装着され、前記ゴム板材の上面に載せられるタオルを巻回し得るように、前記第５軸の後方でリングに連結される第６軸と、前記第６軸の後方から、巻回された状態で出たタオルを前記ゴム板材と接した状態で移送して前記積載に送出するため、前記ゴム板材の外郭から一定間隔で前記第６軸の後方から前記第４軸の下部に延長される支持板とを含むことを特徴とする請求項１記載のウェットタオル自動製造装置。
【請求項８】
前記第６軸は前記両側板に縦方向にそれぞれ形成されるスロットに回転可能に結合され、前記第５軸と連結された状態で上方に遊動可能に設置されることにより、巻回されるタオルの直径増加につれて上方に移動できることを特徴とする請求項７記載のウェットタオル自動製造装置。
【請求項９】
上方に弾性遊動可能に前記両側板に固定され、前記第５軸の前方に、かつ前記ゴム板材の上面から少し離隔された位置に固定される展開板材を更に含むことを特徴とする請求項７記載のウェットタオル自動製造装置。
【請求項１０】
前記展開板材は、その底面で移送されるウェットタオルの剰余水分を除去し、前記タオルが均等に広げられた状態で移送できるようにする多数の柔軟性小突片を有することを特徴とする請求項９記載のウェットタオル自動製造装置。
【請求項１１】
前記展開板材は、その中間部に、移送されるウェットタオルの上面を押しながら回転するように、下方に突出する少なくとも二つ以上のローラーを含むことを特徴とする請求項９記載のウェットタオル自動製造装置。
【考案の詳細な説明】
【技術分野】
【０００１】本考案はウェットタオル製造装置に関するもので、より詳しくは、巻物形態のタオルを適宜の長さに切断した後、水で濡らして製造するウェットタオル自動製造装置に関するものである。
【背景技術】
【０００２】化粧室又は飲食店などでは、手を拭うための手段として、シート形態の各種織物又は紙などがいろいろの方式で提供されてきた。また、熱風を発生する乾燥装置が提供されるものもあった。特に、ウェットタオルは、飲食店などで、食事前に簡便に手を拭い得るように、巻物タイプで提供されている。しかし、この種のウェットタオルは、繰り返し洗濯して使用する理由で、衛生上様々の問題点を有することになる。これに対し、水で濡らした１枚又はそれ以上の紙又は不織布のような材質のお絞りが、使い捨て用にビニール包装紙に密閉包装されて提供されている。このような方式は、衛生上好ましくないが、費用の上昇、又は包装紙による廃棄物を発生するという問題点を有する。このため、巻物形態で提供される乾燥状態の長い紙、織物又は不織布（以下、タオルという）を自動的に一定長さに切断し、水を噴霧して濡らしてから製造するウェットタオル自動製造装置の一例が米国特許第５８２９２７８号に開示されている。
【考案の概要】
【考案が解決しようとする課題】
【０００３】このような従来のウェットタオル製造装置について概略的に説明すると次のようになる。巻物形態に巻回されたタオル反物は引出手段により巻解され、切断手段により一定長さに切断される。切断された各々のタオルはコンベヤーに向かって移送される過程で、水の噴射により水分を含有することになる。濡れたタオルは余剰水分の水切り手段により巻物形状に水切りされる。水切りされた各々のウェットタオルは装置の外部に供給される。この際に、従来の一般的なウェットタオル水切り手段は、コンベヤーベルトの外郭に沿って少しの間隔を置いて固定されるＵ字形のケーシングとその内面に固定される多数の突起を有するパッドを含む構成であるため、限定長さのタオルのみを製作していた。しかし使用者は、前記のように一定長さに提供される１枚のタオルのみでは足りないと思う場合は、再度装置を稼働して１枚又はそれ以上のタオルを引き出さなければならない。これは、電力の浪費をもたらし、使用者にとっては面倒なことであった。【０００４】一方、引出手段と切断手段は一つの原動モーターに連結されて一体的に作動される。すなわち、回転カッターの軸と引出手段の軸が一緒に稼働して回転する構造を有する。このように、引出手段と切断手段は一つの原動モーターにより回転するので、タオルの切断長さを任意調節することができなかった。また、引出手段と切断手段が共にハウジングに個別的に固着される構造であるため、装置の整備ないし掃除が容易でなかった。また、カムのような機械的構成のため、装置の騒音が激しかった。
一方、既存の濡れタオル供給装置に使用される水は、使用に適するように加熱又は冷却されたウェットタオルを提供するため、次のような循環過程を経る。すなわち、使用者が交替し得るプラスチック類の水タンクと、該水タンクから一定量の水を取り出して臨時貯蔵する貯水部と、加熱又は冷却のため、貯水部と一体的に又はその周囲に提供される冷却又は加熱手段と、貯水部から水を分配するための分配手段とを順次経て供給される。【０００５】したがって、本考案は前記のような問題点を解決するためになされたもので、その目的は、所望長さのウェットタオルを引き出して使用し得るようにし、過剰水分の一部を除去し得るウェットタオル自動製造装置を提供することにある。ウェットタオルの長さを任意調節し得るためには、ウェットタオル引出手段、切断手段及びタオル水切り手段の構造的な変更が伴わなければならない。本考案はこのような構造的変更の一例を提示する。本考案の他の目的は、装置の騒音が減少され、作動が正確なウェットタオル自動製造装置を供給することにある。本考案の更に他の目的は、引出手段と切断手段を装置から容易に分離し得るようにして、修理又は部品の交替を容易にしたウェットタオル自動製造装置を提供することにある。
【課題を解決するための手段】
【０００６】前記目的を達成するため、本考案は、固定位置で回転し、巻物形態のタオル反物を巻解可能に固定するタオル反物固定部を有し、前方下部に、切断されてから巻回されたウェットタオルが外部に分配される前に積載される積載部を有するハウジングと、前記ハウジングの内部前方に、容易に着脱できるように、ネジ結合で装着されるケースと、前記ケースの内部に設けられ、前記タオル反物を圧着して引き出すため、第１電動機と、前記第１電動機とギアで連動して回転する第１軸と、ベルトにより前記第１軸に連動する第２軸と、前記ベルトの上面を圧着した状態で回転するもので、前記ケースに固定されるカバーの下面から突出して回転可能に固定されるローラーとを含む引出手段と、前記ケースの内部に設けられ、前記引出手段により引き出されるタオル反物を所定長さに切断するため、第２電動機と、前記第２電動機により回転する回転カッターと、前記回転カッターと交叉する位置に固定される固定カッターとを含む切断手段と、前記ハウジング内に設けられ、前記切断手段により切断されたタオルに水を噴射して前記積載部に積載するため、貯水部、ポンプ、浄水部及びノズル部を含む給水手段と、前記タオルの分配可否と前記分配されるタオルの切断長さを調節するため、前記ハウジングの外面に設けられる操作部と、前記引出手段により引き出される前記タオル反物の長さを感知する第１感知手段と、前記切断手段の前記回転カッターの回転数を感知する第２感知手段と、前記操作部から伝送される信号及び前記第１、２感知手段から伝送される信号を演算して、前記第１、２電動機及び前記ポンプの電源を個別に断続するマイコンとを有する制御手段とを含むウェットタオル自動製造装置を提供する。【０００７】特に、本考案は、前記ケースの下部に設けられ、前記切断手段と給水手段を通過したウェットタオルを巻回して前記積載部に投与するため、前記ハウジング内に設けられる第３電動機と、所定のフレームにより平行に離隔されて固定される両側板と、前記両側板の前方に回転可能に装着される第３軸と、前記第３電動機とギアで連結され、前記両側板の後方に回転可能に連結される第４軸と、前記第３軸及び前記第４軸がコンベヤーの両軸として連動されるようにし、前方上面に載せられるウェットタオルを後方に移送するゴム板材と、前記ゴム板材の上面から上方に少し離隔される位置で、回転可能に前記両側板に装着され、前記第４軸とベルトで連結されることにより回転力を受ける第５軸と、前記ゴム板材の上面から上方に少し離隔される位置で、回転可能に前記両側板に装着され、前記ゴム板材の上面に載せられるタオルを巻回し得るように、前記第５軸の後方でリングに連結される第６軸と、前記第６軸の後方から、巻回された状態で出たタオルを前記ゴム板材と接した状態で移送して前記積載部に送出するため、前記ゴム板材の外郭から一定間隔で前記第６軸の後方から前記第４軸の下部に延長される支持板とを含むことを特徴とする。
【考案の効果】
【０００８】以上説明したように、本考案の構成によると、使用者は引き出そうとするウェットタオルの長さを自分の所望する長さに調節することができる。したがって、本考案のウェットタオル製造装置によれば、比較的多量のウェットタオルをただ１回の作動で供給することができるので、電力の浪費を防止し、使用者に面倒をかけないようにする。また、ウェットタオルは均等に広げられた状態で巻回され、展開板材６７の底面に形成される突片９７により過剰水分の一部が除去されるので、適正水分を含有したウェットタオルを提供することができる。さらに、好ましくは電子式回転計である第１、第２感知手段４７、５１を使用することにより、装置の騒音が減少し、装置が正確に作動し、機械的摺動部が減少するので、摩耗が減少する。さらにまた、引出手段７と切断手段９をハウジング５の容易に着脱可能なケース１１内に一緒に設置するので装置の整備及び掃除が容易であり、給水手段に水温を調節できる加熱及び冷却手段を含むことにより適正温度のウェットタオルを提供できる。
【図面の簡単な説明】
【０００９】
【図１】本考案の実施態様の一例によるウェットタオル自動製造装置の全体構成を示す側面の断面図である。
【図２】ハウジングから分離されたケースに設けられる引出手段及び切断手段を示す分解斜視図である。
【図３】引出手段と切断手段の作動状態を示す側面図である。
【図４】給水手段における浄水部のフィルタリング装置の改善事項を示す水タンク部の部分破断側面図である。
【図５】ハウジングから分離された本考案によるウェットタオル水切り手段の斜視図である。
【図６】本考案によるウェットタオル水切り手段の作動を示す側面図である。
【図７】図５のＡ−Ａ線について取った部分断面図である。
【考案を実施するための形態】
【００１０】以下、本考案による好ましい実施の形態を添付図面に基いて詳細に説明する。本考案はロール形態のタオルを適正長さに切断し、吸水させて供給するウェットタオル自動製造装置を提供する。図１は本考案の実施態様の一例による引出手段及び切断手段を含むウェットタオル自動製造装置１の全体構成を示す側面の断面図である。ロール形態に巻回されている従来と同様の不織布のようなタオル反物３は、直立ハウジング５の後部の上端に回転可能に設けられる。操作部４が前面に提供されるハウジング５は前面の下部に、製作されたウェットタオルが積載される積載部６を有する。引出手段７と切断手段９はケース１１内に一緒に装着された状態でタオル反物３の前方に設けられる。ウェットタオル（図示せず）は、その端部が、第１電動機１３により駆動される引出手段７の前方を通じて差し込まれて切断手段９に供給される。公知の切断方式（回転カッターと固定カッターによる方式）を使用する切断手段９は第２電動機１５により駆動され、引出手段７の下方に位置する。タオル水切り手段１７は第３電動機１９により駆動され、これには公知の給水手段２１のノズル部が連結される。給水手段２１における貯水部（簡易貯蔵部）２３はハウジング５の底部に設けられ、給水手段２１は他に、タオルに噴射される水を冷却又は加熱するための公知の電熱器ないし熱交換機などの加熱及び冷却手段から構成される温度調節手段、浄水部、ポンプを含む。
【００１１】図２はハウジング５から分離されたケース１１に設けられる引出手段７と切断手段９を示す斜視図であり、図３は引出手段７と切断手段９の作動状態を示す側面の斜視図である。これら図に示すように、引出手段７及び切断手段９は一つのケース１１内に一緒に装着される。ケース１１はネジにより本体ハウジング５に結合されるので、ケース全体を容易に着脱することができる。
【００１２】引出手段７は基本的に第１電動機１３によりコンベヤー方式で駆動される２本の回転軸すなわち第１軸２５、第２軸２７を含む。第１軸２５は第１電動機１３の回転軸とギヤ連結により回転される。第２軸２７は第１軸２５から平行に離隔され、回転可能にケース１１に結合される。第１及び２軸２５、２７は、その長手方向に沿って相互対応する数箇所に結合されるプーリー２９と、該プーリー間にわたってかけられるゴムベルト３１とにより連動することになる。ゴムベルト３１は、図２のように第１、２軸の長手方向に一定間隔で提供される多数のリングであるのが好ましい。引出手段７は、熊手形のガイド板３３と、Ｌ字形に屈曲形成されたカバー３５とを更に含む。ガイド板３３は、引出手段７の上部に安着されるように、ゴムベルトの上面より少し低い位置で、ケース１１の上面にネジで結合される。カバー３５は、その両側下部に形成された突起３５ａと、ケース１１の両側壁に形成された孔３５ｂとの結合により、ケース１１の上面と一つの側面を取り囲むように固定される。タオル３６（図３参照）の上面と接触する多数のローラー３７はゴムベルト３１と接する箇所に、カバー３５の底面から突出するように設置される。
【００１３】タオル３６はガイド板３３の上面とローラー３７との間を通過することになる。ガイド溝３９はガイド板３３の、ゴムベルト３１と対応する位置に形成される。装置が組み立てられると、ゴムベルト３１はガイド溝３９を通じて、ガイド板３３の上面から少し突出した状態で回転し得ることになる。ローラー３７はゴムベルト３１に対応する箇所に設けられて、ガイド板３３から突出するゴムベルト３１の上面を加圧することになる。ローラー３７は、カバー３５内に提供される所定の弾性手段により、上下方向に弾性的に遊動するように設置されるので、ゴムベルト３１と常に一定力で圧着する状態を維持する。これにより、タオルはローラー３７とゴムベルト３１との間に引き込まれることになる。
【００１４】切断手段９は、引出手段７の先端下側に固定される固定カッター４１と、装置の制御手段（図示せず）から伝送される信号に応じて回転する回転カッター４３とを含む。回転カッター軸４４の長手方向に所定深さだけ差し込まれて固定される回転カッター４３はケース内に装着される第２電動機１５とギアで連結されて回転する。両カッター４１、４３の交叉による切断方式は公知の事項であるので、略述する。回転カッター４３は装置の横方向に設置される軸部材の一地点から軸部材の全長にわたって均一に突設される。タオル３６は、図３に示すように、前記カッター４１、４３がオーバーラップされることにより、切断される。
【００１５】本考案の一特徴は、引出手段７と切断手段９を駆動させる電動機１３、１５がそれぞれ別に作動することである。このように分離された構成は、電子式回転計（タコメータ）とともに、使用者がウェットタオルの長さを自在に調節し得るようにする。このため、引出手段７は、回転感知手段として、回転する第１軸２５に連結されたギア状の回転板４５と、これに連結された第１感知手段４７とを有する。第１、２感知手段は回転計であることが好ましい。また、切断手段９は、回転カッター軸４４に連結されたカム円板４９と第２感知手段５１とを有する。
【００１６】本考案によるウェットタオル自動製造装置の作動を説明すると次のようになる。制御手段は、タオルの分配可否とタオルの切断長さを調節するためにハウジング５の外面に設けられる操作部４と、引出手段７により引き出される前記タオル反物の長さを感知する第１感知手段４７と、前記切断手段の前記回転カッターの回転数を感知する第２感知手段５１と、前記操作部から伝送される信号及び前記第１、２感知手段から伝送される信号を演算して、前記第１、２電動機及び給水手段のポンプの電源を個別に接続又は遮断するマイコンとを含む。ハウジング５の前面に提供される操作部４は、キーパッド又はボタンなどの操作手段を有する。操作部の主要構成要素は、タオルの長さ及び温度を入力設定するためのボタンのようなスイッチと表示部である。操作部は、タオルの切断長さを調節する選択ボタンと、タオルの枚数を選択する枚数選択ボタンとを含む。制御手段は、操作部を通じて印加される信号に応じて給水手段２１の貯水部の加熱及び冷却手段（温度調節手段）を制御する温度制御手段を更に含む。
【００１７】その具体的な一例は次のようになる。操作部を通じてタオルの長さが３００ｍｍと設定され、装置が稼働されると、引出手段７の第１感知手段４７は、タオルが所定長さに引き出される直前、制御手段に信号を伝送し、制御手段は前記信号を受信して、回転カッター４３に連結された第２電動機１５を駆動させる。回転カッター４４は単に１回転のみを行えばよいので、第２感知手段５１は回転カッター軸の１回転完了を感知して、制御手段に信号を送信し、制御手段は第２電動機１５を停止させることになる。一方、制御手段は、タオルの長さは一定にしながらタオルの枚数を異ならせて供給するようにすることもできる。すなわち、使用者が操作部４（図１参照）に設けられた枚数選択ボタンで３枚に調節して装置を作動させると、３枚のタオルが供給される。この際に必要になるカウンターは切断手段９に提供される。
【００１８】図４は本考案の給水手段２１の浄水部のフィルタリング装置に対する改善部を示す水タンク５３の部分破断側面図である。水タンク５３は低部にコルク（図示せず）を通じて連結されるフィルター部を有する。フィルターは水タンク底部のキャップ５５を開放した後、上方に簡単に持ち上げられる。水タンクの水は矢印方向に沿って、冷却又は加熱手段が提供された貯水部２３（図１参照）に補給される。これは、フィルター５７の交換を容易にし、装置を簡単にする効果を提供する。
【００１９】一方、図示は省略したが、本考案はウェットタオル製造装置の別の面を提供することができる。すなわち、コインを投入することにより稼働される自動販売機の形式を提供する。このため、一般的な自動販売機に使用される公知のベンディング機が利用できる。このような自動販売機の機能を有するウェットタオル製造装置は、一般に業者のいない例えば公共の場所等に特に好ましい。また、ただコインのみならず他の所定投入部材を投入することにより稼働されるようにすることもできる。
【００２０】本考案の従来技術と異なる他の特徴は、タオル水切り手段１７にある。前述したように、ウェットタオル水切り手段は給水手段２１の一部を含む。図５は本考案によるタオル水切り手段１７を示す斜視図であり、図６は本考案によるタオル水切り手段の作動を示す側面図である。また、図７は図５のＡ−Ａ線について取った部分断面図である。図５及び図６に示すように、前後方の第３、４軸６１、６３は、平行に離隔された状態で枠をなす両側板６４に横方向に回転可能に設けられる。ゴム板材６５は第３、４軸６１、６３の周囲にかけられて電動手段として機能する。すなわち、第４軸６３は第３電動機１９（図６参照）とギアで連結されて原動軸として回転し、第３軸６１はゴム板材６５により従動軸として回転する。ゴム板材６５は、切断されて供給されるタオルをその上面に沿って第４軸６３の方向に移送させるコンベヤーとして機能する。
【００２１】ゴム板材６５は、その上面で移送されるタオルの滑りを防止するため、凸凹表面を付与することができ、好ましくは、タオルをよりうまく水切りさせるための公知の表面形状を有することもできる。展開板材６７はゴム板材６５の上面から所定距離だけ離隔された状態で両側板６４に連結される。詳しくは上方に弾性遊動可能に前記両側板に固定され、前記第５軸の前方に、かつ前記ゴム板材の上面から少し離隔された位置に固定される。展開板材６７の後方には補助水切り手段６９が設けられる。補助水切り手段６９は、タオルの長さを自在に調節して供給するための本考案の主目的による一手段として導入されたものである。補助水切り手段６９は可撓性のリング７１により連動される第５、６軸７３、７５から構成される。第５軸７３と第４軸６３はプーリー７７，７９及び電動手段であるベルト８１により連動される。ベルト８１は、作動が静かで湿気に比較的に強いゴムベルトが好ましく、より好ましくは、滑りを防止するため、タイミングベルトを使用することができる。
【００２２】シリコン材質から構成できる多数のリング７１は、図５に示すように、軸７３、７５の長手方向に沿って適宜離隔されて連結される。これにより、リング７１の一つ程度が切れても全てを分離しなければならない不便がなくなる。ただし、これは緊張度を均一に維持しにくい問題があるので、単に大きい厚さを有する一つのリングで代替することもできる。一方、リング７１は円形断面を有するもののほかに、四角断面、又は所定の軸を有するゴム板の平ベルトでもよい。四角断面のリングは、水切りされるタオルに、より広い面積で接触することにより、タオルの任意遊動を最大限防止することができる。
【００２３】ガイド部材８３はリング７１の左右遊動を防止し、更に、タオルが水切りされる過程で、リング７１間に入らないようにする。ガイド部材８３は、図示のように、側板６４の内面に縦方向に形成された溝８５に沿って上部から挿入、固定される。このため、両側板６４には縦方向のスロット８７が形成される。ブラケット８９は、第５、６軸７３、７５が互いに一定間隔を維持するように、両軸間に連結される。図示しなかったが、ゴム板材６５には、その上面に多数の小径孔が形成できる。これにより、タオルに噴射された剰余水分は、タオルが移送される間、ゴム板材６５の下部に排水される。給水手段２１の一部であるノズル部９１はタオル水切り手段１７の前方に設けられる。管状のノズル部９１は多数の噴射孔が下方に向かうように形成され、給水管９３を通じて水が供給される。これにより、ゴム板材６５の上面上で移送されるタオルに水が均等に噴射できる。タオル３６´の円滑な移送のため、下方に突出する回転可能な移送ローラー９５（図７参照）が展開板材６７の中間部に少なくとも二つ以上設けられる。
【００２４】展開板材６７は、図６に示すように、底面に一定間隔で突設された多数の小突片９７を有するゴム板９９が接着された構造を有する。突片９７は薄いゴム板９９（図７参照）の一側面の全面にわたって突出し、好ましくは円錐形を有する。突片９７は展開板材６７の後方に行くほどに微細比率で短く形成されるので、展開板材６７とゴム板材６５との間は装置の後方に行くほどに次第に広くなり、移送されるタオルが少し巻回された状態で補助水切り手段６９に移送されるようにする。突片９７は、例えば櫛のように、移送されるタオルを均等に広げる機能をし、かつタオルに含有された過剰水分を払い落として、展開板材６７に形成できる多数の排水孔（図示せず）を通じて水分が排出されるようにする。
【００２５】支持板１００は、第６軸７５の後方から巻解されてきたタオル３６´´がゴム板材６５と接した状態で移送されて前記積載部６（図１参照）に積載されるようにする。支持板１００は、ゴム板材６５の外郭から一定間隔で第６軸７５の後方から前記第４軸６３の下部に延長され、該下部を通過して前方に延長される。支持板１００は、タオル３６と接する内面に多数の滑り防止用突起１００ａを有する。
【００２６】このように構成される本考案の装置にの作動を説明すると下記のようになる。ウェットタオル製造装置により切断された後、噴射される水を吸収したままで移送される各々のタオル３６、３６´、３６´´はゴム板材６５の上面に載せられて移動して展開板材６７の突片９７を通過する間、水分が適当に調節され、かつ均等に広げられた状態で第５軸７３に至ることになる。次いで、濡れているタオルは第５軸７３と第６軸７５を連結するリング７１により巻物状態で第６軸７５から出ることになる。ここで、濡れているタオルはゴム板材６５によるコンベヤーと軸を連結するリング７１とが互いに反対方向に回転移動することにより、より速く巻回されることになる。これにより、装置の長さが短く形成でき、相対的に長いウェットタオルを巻回すことができる。
【００２７】タオル３６の厚さが厚かったり、切断されたタオルの長さが長かったりすると、巻回される巻物の直径が大きくなる。このとき、第６軸７５が両側板に縦方向にそれぞれ形成されたスロット８７に回転可能に結合され、第５軸と連結された状態で上方に遊動可能に設置されていることにより、巻回されるタオルの直径増加につれて上方に移動できる。すなわち第６軸７５は上方に持ち上げられて、タオルの円滑な移動が可能とされる。これにより、本考案におけるウェットタオルを製作及び補給し得ることになる。具体的には、本考案の自動製造装置によると、一般的なウェットタオルは３〜４秒の間に巻物タイプに巻回されて吐き出され、また本考案の一長所であるタオルの長さの適用可能範囲は１５０〜５００ｍｍも可能となる。
【００２８】一方、展開板材６７は、図７に示すように、スプリング１０１、ワッシャー１０３及び側板６４に連結されるボルト１０５により上下方に弾性遊動可能に連結される。これにより、巻回されているタオルの直径増加による装置自体の抵抗が減少できる。ローラー９５は展開板材６７と一緒に上下方に遊動でき、移送されるタオル３６の上面と接した状態で押しながら回転することになる。
【００２９】以上説明したように、本考案の構成によると、使用者は引き出そうとするウェットタオルの長さを自分の所望する長さに調節することができる。したがって、本考案のウェットタオル製造装置によれば、比較的多量のウェットタオルをただ１回の作動で供給することができるので、電力の浪費を防止し、使用者に面倒をかけないようにする。また、ウェットタオルは均等に広げられた状態で巻回され、展開板材６７の底面に形成される突片９７により過剰水分の一部が除去されるので、適正水分を含有したウェットタオルを提供することができる。さらに、好ましくは電子式回転計である第１、第２感知手段４７、５１を使用することにより、装置の騒音が減少し、装置が正確に作動し、機械的▲シュウ▼動部が減少するので、摩耗が減少する。さらにまた、引出手段７と切断手段９をハウジング５の容易に着脱可能なケース１１内に一緒に設置するので装置の整備及び掃除が容易であり、給水手段に水温を調節できる加熱及び冷却手段を含むことにより適正温度のウェットタオルを提供できる。
【符号の説明】
【００３０】１    ウェットタオル自動製造装置      ４７  第１感知手段
３    タオル反物                      ４９  カム円板
４    操作部                          ５１  第２感知手段
５    ハウジング                      ５３  水タンク部
６    積載部                          ５５  キャップ
７    引出手段                        ５７  フィルター
９    切断手段                        ６１  第３軸
１１  ケース                          ６３  第４軸
１３  第１電動機                      ６４  側板
１５  第２電動機                      ６５  ゴム板材
１７  タオル水切り手段                ６７  展開板材
１９  第３電動機                      ６９  補助水切り手段
２１  給水手段                        ７１  リング
２３  貯水部                          ７３  第５軸
２５  第１軸                          ７５  第６軸
２７  第２軸                          ７７、７９  プーリー
２９  プーリー                        ８１  ベルト
３１  ゴムベルト                      ８３  ガイド部材
３３  ガイド板                        ８５  溝
３５  カバー                          ８７  スロット
３６、３６´、３６´´  タオル        ８９  ブラケット
３７  ローラー                        ９１  ノズル部
３９  ガイド溝                        ９３  給水管
４１  固定カッター                    ９５  移送ローラー
４３  回転カッター                    ９７  突片
４４  回転カッター軸                  ９９  ゴム板
４５  回転板                          １００  支持板
１０１  スプリング                    １０３  ワッシャー
１０５  ボルト
【図１】
0003234446.tif 000003
【図２】
0003234446.tif 000004
【図３】
0003234446.tif 000005
【図４】
0003234446.tif 000006
【図５】
0003234446.tif 000007
【図６】
0003234446.tif 000008
【図７】
0003234446.tif 000009